(57)【要約】【課題】出力対象の画像データをプレビュー表示するに際し、プレビュー表示のキャンセルがユーザ操作により指示された場合に、プレビュー画像の生成状態に応じて異なる画面を表示することで、そのとき表示した画面に依ってはその後の処理を継続させることができる画像処理装置を提供する。【解決手段】画像処理装置（デジタル複合機１で例示）は、出力対象の画像データのプレビュー画像を出力ジョブ単位で生成するプレビュー画像生成部１６ａと、生成されたプレビュー画像を表示するタッチパネル１０等の画像表示部とを備える。画像表示部は、プレビュー画像の生成中にプレビュー画像の生成を中止するための生成中止キーをユーザ選択可能に表示し、ユーザ操作により生成中止キーが選択されたときには、生成中止キーが選択されたときのプレビュー画像の生成状態に応じて、異なる画面を表示する。【選択図】図２
2010035021.tif 000002
【特許請求の範囲】
【請求項１】
出力対象の画像データのプレビュー画像を出力ジョブ単位で生成するプレビュー画像生成部と、該プレビュー画像生成部で生成された該プレビュー画像を表示する画像表示部とを備えた画像処理装置であって、
前記画像表示部は、前記プレビュー画像の生成中に前記プレビュー画像の生成を中止するための生成中止キーをユーザ選択可能に表示し、
当該画像処理装置は、ユーザ操作により該生成中止キーが選択されたときには、前記プレビュー画像生成部が前記プレビュー画像の生成を中止し、前記画像表示部が、前記生成中止キーが選択されたときの前記プレビュー画像の生成状態に応じて、異なる画面を表示することを特徴とする画像処理装置。
【請求項２】
前記生成中止キーが選択されたときに、少なくとも１枚の前記プレビュー画像が生成されていた場合には、前記画像表示部が前記生成中止キーが選択されるまでに生成された前記プレビュー画像を含むプレビュー表示画面を表示することを特徴とする請求項１に記載の画像処理装置。
【請求項３】
前記画像表示部は、前記プレビュー表示画面に、出力処理の処理条件を変更するための再設定画面に移行するための再設定キーを選択可能に表示し、該再設定キーがユーザにより選択されたときに前記再設定画面を表示することを特徴とする請求項２に記載の画像処理装置。
【請求項４】
前記生成中止キーが選択されたときに、前記プレビュー画像生成部で前記プレビュー画像が全く生成されていない場合には、前記画像表示部が、出力処理の処理条件を設定するための最初の画面である初期設定画面を表示することを特徴とする請求項１〜３のいずれか１項に記載の画像処理装置。
【請求項５】
前記再設定画面は、前記プレビュー画像生成部で新たなプレビュー画像の生成を開始するための再プレビューキーを含むことを特徴とする請求項３又は４に記載の画像処理装置。
【請求項６】
前記再プレビューキーがユーザにより選択され、前記プレビュー画像生成部で前記新たなプレビュー画像の生成が開始された際に、前記生成中止キーを再度表示し、該生成中止キーがユーザにより選択されたときには、前記生成中止キーを消去して前記再設定画面を再表示することを特徴とする請求項５に記載の画像処理装置。
【請求項７】
前記生成中止キーがユーザにより選択されたときに、前記出力対象の画像データの取得を実行していた場合には、該取得を中止することを特徴とする請求項１〜６のいずれか１項に記載の画像処理装置。
【請求項８】
前記画像表示部は、前記取得が中止されたときに、出力処理の処理条件を設定するための最初の画面である初期設定画面を表示することを特徴とする請求項７に記載の画像処理装置。
【請求項９】
前記画像表示部は、前記プレビュー画像生成部で前記プレビュー画像を生成している間、生成された前記プレビュー画像の枚数を表示することを特徴とする請求項１〜８のいずれか１項に記載の画像処理装置。
【請求項１０】
前記画像表示部は、前記生成中止キーが選択されたときに、前記プレビュー画像生成部で生成済みの前記プレビュー画像の枚数を表示することを特徴とする請求項１〜９のいずれか１項に記載の画像処理装置。
【請求項１１】
前記生成中止キーが選択されたときに、前記画像表示部が前記プレビュー画像の生成が中止されたことを表示する一方で、前記プレビュー画像生成部が前記プレビュー画像の生成の中止を行わずに生成を継続することを特徴とする請求項１〜１０のいずれか１項に記載の画像処理装置。
【請求項１２】
前記プレビュー画像は、前記出力対象の画像データを縮小して生成した画像であることを特徴とする請求項１〜１１のいずれか１項に記載の画像処理装置。
【請求項１３】
前記プレビュー画像は、前記出力対象の画像データを出力するページ単位で順次表示する画像であることを特徴とする請求項１〜１２のいずれか１項に記載の画像処理装置。
【請求項１４】
前記プレビュー画像は、最終の出力形態で表示されることを特徴とする請求項１〜１３のいずれか１項に記載の画像処理装置。
【請求項１５】
プレビュー画像生成部及び画像表示部を備えた画像処理装置におけるプレビュー表示方法であって、
前記プレビュー画像生成部が、出力対象の画像データのプレビュー画像を出力ジョブ単位で生成するステップと、
前記画像表示部が、前記プレビュー画像生成部で生成された該プレビュー画像を表示するステップと、
前記画像表示部が、前記プレビュー画像の生成中に前記プレビュー画像の生成を中止するための生成中止キーをユーザ選択可能に表示するステップと、
ユーザ操作により該生成中止キーが選択されたときには、前記プレビュー画像生成部が前記プレビュー画像の生成を中止し、前記画像表示部が前記生成中止キーが選択されたときの前記プレビュー画像の生成状態に応じて、異なる画面を表示するステップとを有することを特徴とするプレビュー表示方法。
【請求項１６】
前記生成中止キーが選択されたときに、少なくとも１枚の前記プレビュー画像が生成されていた場合には、前記画像表示部が前記生成中止キーが選択されるまでに生成された前記プレビュー画像を含むプレビュー表示画面を表示するステップを有することを特徴とする請求項１５に記載のプレビュー表示方法。
【発明の詳細な説明】
【技術分野】
【０００１】
本発明は、画像データを出力前にプレビュー表示することが可能な画像処理装置、及びプレビュー表示方法に関する。
【背景技術】
【０００２】
従来から、複合機などの画像処理装置において、印字や送信等の出力対象となった画像データをプレビュー表示する機能が備わっているものがある。
【０００３】
また、特許文献１には、プレビュー表示された全ての画像データを確認した後に印刷指示が実行可能となること、プレビュー画像生成に長時間を有する場合には、最初の数ページのみプレビュー画像を生成する指示が可能であること、並びに、プレビュー画像生成時にプレビュー画像の中止指示用ボタンによりプレビューの生成を中止することが、開示されている。
【特許文献１】特開２００６−１７１８６１号公報
【発明の開示】
【発明が解決しようとする課題】
【０００４】
しかしながら、特許文献１には、印刷中止指示用のボタンによって、プレビュー表示を中止した際には、プレビュー表示と印刷指示との双方をキャンセルすることしかできず、キャンセル後に印刷条件の変更に伴う画像編集など、その後の処理について記載されていない。従って、特許文献１に記載の技術は、プレビュー表示のキャンセルと共に印刷処理もキャンセルされてしまうため、ユーザは最初から印刷条件の設定や原稿の読み込みなどを行わなければならない。
【０００５】
本発明は、上述のような実状に鑑みてなされたものであり、出力対象の画像データをプレビュー表示するに際し、プレビュー表示のキャンセルがユーザ操作により指示された場合に、プレビュー画像の生成状態に応じて異なる画面を表示することで、そのとき表示した画面に依ってはその後の処理を継続させることを可能にする、画像処理装置及びプレビュー表示方法を提供することを、その目的とする。
【課題を解決するための手段】
【０００６】
上述の課題を解決するために、本発明の第１の技術手段は、出力対象の画像データのプレビュー画像を出力ジョブ単位で生成するプレビュー画像生成部と、該プレビュー画像生成部で生成された該プレビュー画像を表示する画像表示部とを備えた画像処理装置であって、前記画像表示部は、前記プレビュー画像の生成中に前記プレビュー画像の生成を中止するための生成中止キーをユーザ選択可能に表示し、当該画像処理装置は、ユーザ操作により該生成中止キーが選択されたときには、前記プレビュー画像生成部が前記プレビュー画像の生成を中止し、前記画像表示部が、前記生成中止キーが選択されたときの前記プレビュー画像の生成状態に応じて、異なる画面を表示することを特徴としたものである。
【０００７】
第２の技術手段は、第１の技術手段において、前記生成中止キーが選択されたときに、少なくとも１枚の前記プレビュー画像が生成されていた場合には、前記画像表示部が前記生成中止キーが選択されるまでに生成された前記プレビュー画像を含むプレビュー表示画面を表示することを特徴としたものである。
【０００８】
第３の技術手段は、第２の技術手段において、前記画像表示部は、前記プレビュー表示画面に、出力処理の処理条件を変更するための再設定画面に移行するための再設定キーを選択可能に表示し、該再設定キーがユーザにより選択されたときに前記再設定画面を表示することを特徴としたものである。
【０００９】
第４の技術手段は、第１〜第３のいずれかの技術手段において、前記生成中止キーが選択されたときに、前記プレビュー画像生成部で前記プレビュー画像が全く生成されていない場合には、前記画像表示部が、出力処理の処理条件を設定するための最初の画面である初期設定画面を表示することを特徴としたものである。
【００１０】
第５の技術手段は、第３又は第４の技術手段において、前記再設定画面は、前記プレビュー画像生成部で新たなプレビュー画像の生成を開始するための再プレビューキーを含むことを特徴としたものである。
【００１１】
第６の技術手段は、第５の技術手段において、前記再プレビューキーがユーザにより選択され、前記プレビュー画像生成部で前記新たなプレビュー画像の生成が開始された際に、前記生成中止キーを再度表示し、該生成中止キーがユーザにより選択されたときには、前記生成中止キーを消去して前記再設定画面を再表示することを特徴としたものである。
【００１２】
第７の技術手段は、第１〜第６のいずれかの技術手段において、前記生成中止キーがユーザにより選択されたときに、前記出力対象の画像データの取得を実行していた場合には、該取得を中止することを特徴としたものである。
【００１３】
第８の技術手段は、第７の技術手段において、前記画像表示部は、前記取得が中止されたときに、出力処理の処理条件を設定するための最初の画面である初期設定画面を表示することを特徴としたものである。
【００１４】
第９の技術手段は、第１〜第８のいずれかの技術手段において、前記画像表示部は、前記プレビュー画像生成部で前記プレビュー画像を生成している間、生成された前記プレビュー画像の枚数を表示することを特徴としたものである。
【００１５】
第１０の技術手段は、第１〜第９のいずれかの技術手段において、前記画像表示部は、前記生成中止キーが選択されたときに、前記プレビュー画像生成部で生成済みの前記プレビュー画像の枚数を表示することを特徴としたものである。
【００１６】
第１１の技術手段は、第１〜第１０のいずれかの技術手段において、前記生成中止キーが選択されたときに、前記画像表示部が前記プレビュー画像の生成が中止されたことを表示する一方で、前記プレビュー画像生成部が前記プレビュー画像の生成の中止を行わずに生成を継続することを特徴としたものである。
【００１７】
第１２の技術手段は、第１〜第１１のいずれかの技術手段において、前記プレビュー画像は、前記出力対象の画像データを縮小して生成した画像であることを特徴としたものである。
【００１８】
第１３の技術手段は、第１〜第１２のいずれかの技術手段において、前記プレビュー画像は、前記出力対象の画像データを出力するページ単位で順次表示する画像であることを特徴としたものである。
【００１９】
第１４の技術手段は、第１〜第１３のいずれかの技術手段において、前記プレビュー画像は、最終の出力形態で表示されることを特徴としたものである。
【００２０】
第１５の技術手段は、プレビュー画像生成部及び画像表示部を備えた画像処理装置におけるプレビュー表示方法であって、前記プレビュー画像生成部が、出力対象の画像データのプレビュー画像を出力ジョブ単位で生成するステップと、前記画像表示部が、前記プレビュー画像生成部で生成された該プレビュー画像を表示するステップと、前記画像表示部が、前記プレビュー画像の生成中に前記プレビュー画像の生成を中止するための生成中止キーをユーザ選択可能に表示するステップと、ユーザ操作により該生成中止キーが選択されたときには、前記プレビュー画像生成部が前記プレビュー画像の生成を中止し、前記画像表示部が前記生成中止キーが選択されたときの前記プレビュー画像の生成状態に応じて、異なる画面を表示するステップとを有することを特徴としたものである。
【００２１】
第１６の技術手段は、第１５の技術手段において、前記生成中止キーが選択されたときに、少なくとも１枚の前記プレビュー画像が生成されていた場合には、前記画像表示部が前記生成中止キーが選択されるまでに生成された前記プレビュー画像を含むプレビュー表示画面を表示するステップを有することを特徴としたものである。
【発明の効果】
【００２２】
本発明によれば、出力対象の画像データをプレビュー表示するに際し、プレビュー表示のキャンセルがユーザ操作により指示された場合に、プレビュー画像の生成状態に応じて異なる画面を表示することで、そのとき表示した画面に依ってはその後の処理を継続させることを可能にする。
【発明を実施するための最良の形態】
【００２３】
以下、本発明を実施するための最良の形態について図面を参照して説明する。以下、本発明に係る画像処理装置をプリント機能、コピー機能、ファクシミリ送受信機能等を有するデジタル複合機に適用した形態について、その実施の形態を示す図面に基づいて具体的に説明する。
【００２４】
＜装置構成＞
図１は、本発明の一実施形態に係る画像処理装置の一例としてのデジタル複合機を用いて構築される画像処理システムの構成例を示す模式図である。図１において、１はデジタル複合機、２、３は外部コンピュータ、４はインターネットファクシミリ装置（インターネットＦＡＸ装置）、５はファクシミリ装置である。
【００２５】
デジタル複合機１は、プリント機能、コピー機能の他に、画像データをファックスで送受信する機能（ファクシミリ機能）及び／又は画像データをインターネットＦＡＸで送受信する機能（インターネットＦＡＸ機能）を有する。このデジタル複合機１には、通信網を介して各種の外部機器が接続されている。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続されている。また、公衆電話回線網ＰＮを介して外部のファクシミリ装置５が接続されている。なお、上述したように、本発明に係る画像処理装置をデジタル複合機１に適用した場合についてのみ説明するが、本発明に係る画像処理装置としては、複合機やプリンタなどの画像形成装置に限らず、インターネットＦＡＸ装置４やファクシミリ装置５などの画像送信装置にも適用できる。
【００２６】
以下、このデジタル複合機１の構成及び動作について説明する。図２は、図１のデジタル複合機の構成例を示す概略ブロック図で、図３は、図２のデジタル複合機におけるタッチパネル及びキー操作部の一例を示す外観図である。
【００２７】
図２で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４、及びＵＳＢ（Universal Serial Bus）インターフェース（Ｉ／Ｆ）２５を備えている。また、デジタル複合機１は、穴あけ（パンチ）やステープル処理などを行う後処理装置を備えてもよく、以下、この後処理装置を備えた形態を挙げて説明する。
【００２８】
メイン制御部１８はＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内にはメイン制御部１８から読み出し可能なように、プログラム（ファームウェア）と各種設定データとが格納されている。このうち少なくとも各種設定データは書き換え可能なメモリに格納されている。また、これらのプログラムや各種設定データは、後述する画像記憶部１５の構成例としてのハードディスクに記憶してもよい。また、制御用バッファ２２はＲＡＭ（Random Access Memory）等の揮発性メモリで構成される。
【００２９】
上述のプログラムは、本発明に係る後述のプレビュー画像の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として、各種設定データを適宜参照しながら実行される。
【００３０】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。画像処理の例については後述する。上述のＡＳＩＣには符号化／復号部１７等の他の部位も組み込んでよい。
【００３１】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００３２】
符号化／復号部１７は、画像データを符号化により圧縮すると共に、符号化画像データを元の画像データに復号（伸張）する。例えば、符号化／復号部１７は原稿を読み取った画像データの符号化、その符号化データの復号、外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００３３】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００３４】
記録部１２は、電子写真方式やインクジェット方式などの印刷方式を採用したプリンタ装置を備え、画像記憶部１５に記憶された画像データなどを、記録用紙に記録（つまり印刷）する。また、ＵＳＢ  Ｉ／Ｆ２５は、ＵＳＢメモリ等のＵＳＢ機器に接続するためのＩ／Ｆであり、画像記憶部１５に記憶された原稿読み取り後の画像データ等をＵＳＢ機器に出力したり、ＵＳＢ機器からファイルを読み込んだりする。
【００３５】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００３６】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００３７】
タッチパネル１０又はキー操作部２０は、原稿の読み取り処理、画像データ送信、印刷等の処理の中から所望の処理を選択するための操作、その処理を開始するための操作、各処理を実行する際に必要となる設定を行うための操作（選択操作又は入力操作）などを受け付ける。この設定としては、例えば印刷時の印刷枚数の設定、穴あけ（パンチ）やステープルの設定、ファクシミリ画像や電子メールの送信時の相手先情報の設定など、様々挙げられる。
【００３８】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００３９】
タッチパネル１０の表示部には、現在の動作状態や設定情報（例えば送信先等）などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリ又は制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００４０】
タッチパネル１０上で受けたユーザ操作はパネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けても良く、その場合、キー操作部２０のみでユーザ操作を受け付ける。
【００４１】
タッチパネル１０及びキー操作部２０は、図３で例示するような操作パネル３０として構成してもよく、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図１の構成においてタッチパネル１０及びキー操作部２０の代わりにタッチパネル３２及びキー操作部３１を当てはめて、本発明の詳細について説明する。
【００４２】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００４３】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００４４】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００４５】
読取部１３は、原稿台又は自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００４６】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。画像処理部１６は、これらの原稿判別処理及び白黒／カラー原稿判別処理の結果として、判別信号（以下、原稿判定データという）を出力する。領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００４７】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データと関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００４８】
＜印刷動作＞
上述した原稿読み取り動作により、読み取った原稿の画像データのファイリングまでは完了する。次に、読み取った原稿の画像データを印刷する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００４９】
また、デジタル複合機１は、印刷時に、定型スタンプ、日付（又は日時）、ページ番号などの付加情報を画像データに付加することが可能になっており、このような付加の指示があった場合にはメイン制御部１８が画像処理部１６を制御する。画像データに付加された付加情報は付加画像であると言える。付加情報は制御用メモリ１９に記憶され、必要に応じて読み出される。勿論、元々付加情報を付加画像のデータとして格納しておいてもよい。また、付加情報を複数、制御用メモリ１９に格納しておくと共に、付加設定情報を制御用メモリ１９に格納しておくとよい。この付加設定情報としては、画像データに対して付加する位置（以下、付加位置という）を示す情報を少なくとも含み、複数の付加情報が格納されている場合にはそのいずれを選ぶかの情報も含むものとする。また、後処理装置でのパンチやステープル処理を実行する指示があった場合には、メイン制御部１８はこの後処理装置も制御する。
【００５０】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００５１】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００５２】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。二色化処理としては、ＲＧＢデータから指定の二色（この場合、赤色と黒色）を表現するＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００５３】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００５４】
中間調生成処理後のＣＭＹＫデータは記録部１２に渡される。付加情報を付加する場合について説明する。付加情報についても印刷データの変倍率に応じて変倍処理を施す方法と、付加情報は印刷データの変倍率に関係なく変倍処理を施さない方法とがある。まず、付加情報も変倍処理する場合には、メイン制御部１８が付加情報及び付加位置を示す情報を読み出して、メイン制御部１８又は画像処理部１６が必要に応じて画像データに変換し、変倍処理の前にこの付加情報の画像データを画像処理部１６に渡す。なお、この変換は元々付加画像データが格納されている場合には必要ない。続いて、画像処理部１６が、付加情報の画像データを、変倍処理前の画像データである付加先の画像データに対し上記付加位置に合成すればよい。
【００５５】
付加情報を変倍処理しない場合には、メイン制御部１８が付加情報及び付加位置を示す情報を読み出して、メイン制御部１８又は画像処理部１６が必要に応じて画像データに変換する。この例では変換によりＣＭＹＫデータとなる。なお、この変換は元々付加画像データが格納されている場合には必要ない。続いて、画像処理部１６が、付加情報の画像データを、変倍処理後の画像データである付加先の画像データ（出力階調補正処理又は中間調生成処理の対象となる上述のＣＭＹＫデータ）に対し上記付加位置に合成すればよい。
【００５６】
いずれの場合にも、画像処理部１６が付加情報を付加した状態の中間調生成処理後のＣＭＹＫデータを出力することができる。なお、デジタル複合機１では、付加情報やその付加位置は、次に説明するプレビュー表示を行いながら操作パネル３０によりユーザ設定可能とする。
【００５７】
記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。そして、ここで印刷された用紙に対して、後処理装置が必要に応じてパンチやステープル処理を実行する。なお、ここで説明した印刷動作の対象データは、読取部１３で読み取られた画像データに限ったものではなく、例えば、ＵＳＢメモリ等の外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データの印刷動作については後述する。
【００５８】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。デジタル複合機１は、印刷対象となった画像データについてプレビュー表示（サムネイル表示）を可能にする構成を有する。このプレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。例えば、プレビュー表示を行う設定後に、コピー条件を設定してスタートキーを押下した段階で、原稿の読み取りを開始し、読み取った後にプレビュー画像をタッチパネル３２に表示させてもよい。
【００５９】
メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００６０】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。プレビュー用画像処理としては、以下にその概略を説明するように、画質調整処理、二色化処理、色補正処理、空間フィルタ処理、変倍処理、及び出力階調補正処理などが挙げられる。空間フィルタ処理及び出力階調補正処理は、領域分離データが示す各種領域に応じた処理となる。
【００６１】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００６２】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、プレビュー表示倍率に基づいて画像拡大処理や画像縮小処理を行う。なお、プレビュー表示倍率とは、例えば２倍、４倍等の倍率であって、プレビュー表示時の画像の倍率である。
【００６３】
画像処理部１６に設けたプレビュー画像生成部１６ａは、主にこのようなプレビュー表示用の変倍処理によりプレビュー表示用の画像（プレビュー画像）を生成する。
【００６４】
ここで、付加情報を付加する場合のプレビュー画像について説明する。上述のように、デジタル複合機１では、出力対象の画像データに付加情報を付加して出力することが可能となっており、プレビュー表示は、パネル制御部１１が、付加情報を示す画像を表示させる制御を行うことで実行される。そのため、プレビュー画像生成部１６ａが、このような付加情報を示す画像を生成し出力対象の画像データから生成したプレビュー画像に合成することで、付加情報付きのプレビュー画像を生成する。これをパネル制御部１１がタッチパネル３２に表示させる。
【００６５】
付加情報は、印刷倍率に応じて変倍処理を行って印刷対象の画像データと共に出力することができ、また印刷倍率に応じた変倍処理を行った後の印刷対象の画像データに付加して出力することもできる。まず、付加情報も変倍処理して出力する場合には、メイン制御部１８が付加情報及びその付加位置を読み出して、変倍処理の前に画像処理部１６に渡す。続いて、プレビュー画像生成部１６ａが、この付加情報を示す画像のＲ′Ｇ′Ｂ′データを生成し、変倍処理前の画像データである付加先の画像データに対し上記付加位置に合成する。そして、付加情報の画像が付加された後のＲ′Ｇ′Ｂ′データに対し、印刷倍率に応じた画像拡大処理／画像縮小処理を施すとよい。
【００６６】
付加情報を変倍処理しない場合には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、それを印刷倍率に応じた画像拡大処理／画像縮小処理後のＲ′Ｇ′Ｂ′データに対し上記付加位置に合成し、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【００６７】
また、後処理装置においてパンチやステープル処理を施す場合には、印刷対象となる画像データ（及び付加情報を示す画像のデータ）から生成したプレビュー画像にパンチ穴やステープル等の後処理の画像データを、パンチ位置やステープル位置に合成して出力するとよい。若しくは、印刷対象となる画像データ（及び付加情報を示す画像のデータ）から生成したプレビュー画像とは別に、その近隣に、パンチ穴やステープル等の後処理の画像データを合わせて出力してもよい。後者の場合、合成処理が不要となるため、処理速度が速くなる。いずれの方法によっても、画像データのプレビュー表示時に、画像形成する用紙の仕上がり状態を表示させることができる。
【００６８】
出力階調補正処理としては、プレビュー画像のＲ′Ｇ′Ｂ′データ又はプレビュー画像及び後処理の画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【００６９】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。生成されたＣＭＹＫデータは、後段の色補正処理において、タッチパネル３２の表示特性に基づいてＲ′Ｇ′Ｂ′データに変換される。
【００７０】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。ユーザは、この付加情報を示す画像を含むプレビュー表示された画像を確認して、このまま印刷を実行するか中止するか、或いは付加情報を削除するか、付加位置の変更（又は付加情報の変更）などを実行するかなどを判断して、それに応じた操作を行うことができる。
【００７１】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理やプレビュー表示時の変倍処理を行って、ＧＵＩ画像に組み込んでタッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。
【００７２】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、後述するファクシミリ送信やインターネットＦＡＸ送信等の画像データ送信時にも適用することができる。
【００７３】
＜ファイリング動作についての補足＞
ファイリング動作は、原稿読み取り動作として説明したように、読み取った画像データを（必要に応じて符号化して）、デジタル複合機１の内部に設けられた画像記憶部１５に記憶する動作である。ファイリング時でも、記憶対象の画像データに対して付加情報を付加してから記憶（ファイリング）することができる。画像記憶部１５にファイリングする画像データのプレビュー表示動作については、基本的に印刷する画像データについて説明した通りである。
【００７４】
＜ファクシミリ受信した画像データの印刷動作＞
次に、ファクシミリ通信により受信した画像データの印刷動作について説明する。メイン制御部１８は、モデム２４でファクシミリ通信要求を検知したときに、記録部１２、画像記憶部１５、画像処理部１６、ＮＣＵ２３、及びモデム２４などに指示を行い、次に説明するような処理を実行させる。
【００７５】
まず、モデム２４及びＮＣＵ２３は、通信手続きを行いながら送信元から送信されてくる画像データ（圧縮画像データ）を順次受信し、受信した圧縮画像データの伸張を行うと共に、必要に応じて回転処理（送信方向を回転させる処理）や解像度変換処理などを実行して、画像処理部１６に渡す。
【００７６】
ファクシミリ通信により受信した画像データは白黒２値であるので、画像処理部１６では、伸張等の処理を行った画像データ（Ｋデータ）に対して、特に処理を施さず、そのまま記録部１２に渡される。記録部１２は、この画像データを受け取り、電子写真方式やインクジェット方式などにより印刷を実行する。また、ファクシミリ通信によって受信した画像データに対しても、上述した付加情報を付加した後に印刷することもできる。
【００７７】
モノクロ画像でのファクシミリ受信について説明したが、カラーのファクシミリ画像（ＲＧＢデータ）を受信した際には、画像処理部１６がここで説明したファクシミリ受信用画像処理をこのＲＧＢデータに対して実行するなどすればよい。
【００７８】
＜ファクシミリ受信した画像データのプレビュー表示動作＞
ファクシミリ通信により受信した画像データのプレビュー表示動作について、同画像データの印刷動作に基づき簡単に説明する。このプレビュー表示動作は、受信した画像データを事前に確認してから印刷を実行するような事前設定やユーザ操作があったときなどに行われる。このプレビュー表示動作では、画像処理部１６が、伸張等の処理を施した後の画像データに対して、付加情報を付加する場合にはその付加情報の画像データを合成した後に、さらにタッチパネル３２の画素数（表示解像度）に合わせた変換処理及びプレビュー表示時の変倍処理を行い、変倍処理後の画像データがＧＵＩ画像に組み込まれてタッチパネル３２に表示されることになる。このようにファクシミリ受信した画像データについて印刷を実行する前のプレビュー表示時にはコピーモードとして取り扱ってよい。ユーザは、このプレビュー表示された画像を確認して、印刷を実行するか破棄するかを判断して、印刷又は破棄の操作を行うことができる。
【００７９】
＜ファクシミリ送信動作＞
次に、読み取った原稿の画像データをファクシミリ送信する場合の送信動作について説明する。ファクシミリ画像データは、タッチパネル３２又はキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【００８０】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【００８１】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【００８２】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【００８３】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００８４】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【００８５】
そして、デジタル複合機１は、送信対象の画像データにも、付加情報を付加して送信することが可能となっている。この例のように画像データを外部へ送信する際には、付加情報として、スタンプ、日付（日時）、ページ番号の他に、送信元情報（発信元情報）も付加情報を付加することが可能となっている。ここで、画像データ送信時に付加する送信元情報には、送信者の名称の情報、送信元の電話番号の情報、送信元の電子メールアドレスの情報のいずれか１又は複数を含むとよい。また、付加情報としては、画像データ送信時には送信先の情報（相手先の情報）なども付加してもよい。
【００８６】
付加情報を付加してファクシミリ送信する場合には、次のような合成処理を行えばよい。メイン制御部１８が付加情報及び付加位置を示す情報を読み出して、メイン制御部１８又は画像処理部１６が画像データに変換し、画像処理部１６が、変換後の画像データ（付加情報の画像データ）を、変倍処理後の画像データである付加先の画像データに対し上記付加位置に合成すればよい。デジタル複合機１では、付加情報の画像データを付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【００８７】
＜ファクシミリ送信する画像データのプレビュー表示動作＞
デジタル複合機１は、ファクシミリ送信等で送信対象となった画像データについてプレビュー表示を可能にする構成を有する。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてはメイン制御部１８はパネル制御部１１への指示も行う。
【００８８】
このプレビュー表示動作では、画像処理部１６が、画質調整処理、及び空間フィルタ処理（及び変倍処理）まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理と、プレビュー表示時の縮小／拡大率に応じた変倍処理とを行うことでプレビュー画像のデータを生成する。なお、このプレビュー表示動作では、空間フィルタ処理は実行されなくてもよく、また中間調生成処理は実行されない。ここで、データ送信モードとは、ファクシミリ送信モード、インターネットＦＡＸ送信モード、ファイル転送モードなど、外部（外部機器）に画像データを送信するためのモードであり、イメージ送信モードとも言う。
【００８９】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【００９０】
付加情報を付加して送信する場合のプレビュー画像について説明する。付加情報は、送信解像度に応じた変倍処理を行った後の画像データに付加して出力する。より具体的には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、送信解像度に応じた画像拡大処理／画像縮小処理後のＲ′Ｇ′Ｂ′データに対し上記付加位置に合成すればよい。そして、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【００９１】
このようにして付加情報の画像が合成された画像データは、上述したプレビュー表示時の出力階調補正処理（画像データを表示するための出力γ補正処理）が施された後に、パネル制御部１１によりＧＵＩ画像に組み込まれてタッチパネル３２に表示されることになる。ユーザは、この付加情報の画像を含むプレビュー表示された画像を確認して、このままファクシミリ送信を実行するか中止するか、或いは付加情報を削除するか、付加位置の変更（又は付加情報の変更）などを実行するかなどを判断して、それに応じた操作を行うことができる。
【００９２】
＜インターネット経由による画像データの送信動作＞
次に、読み取った原稿の画像データを、インターネット経由による電子メール又はインターネットＦＡＸで送信する場合の送信動作について説明する。このようなインターネット経由での送信で対象となる画像データについても、タッチパネル３２又はキー操作部３１でのユーザ操作により設定されて制御用メモリ１９に格納された送信先情報（この例では電子メールアドレス）に対して送信される。
【００９３】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【００９４】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【００９５】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００９６】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【００９７】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【００９８】
また、デジタル複合機１は、送信対象の画像データがインターネット経由で送信する画像データであっても、ファクシミリ送信画像データの場合と同様に、付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【００９９】
＜インターネット経由で送信する画像データのプレビュー表示動作＞
ファクシミリ送信時のプレビュー表示について説明したのと同様に、デジタル複合機１は、インターネット経由で送信する対象となった画像データも、タッチパネル３２でプレビュー表示可能に構成することができる。
【０１００】
このプレビュー表示動作では、ファクシミリ送信時のプレビュー表示について説明したのと同様に、画像処理部１６が、画質調整処理、及び空間フィルタ処理（及び変倍処理）まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像に組み込まれて、タッチパネル３２に表示されることになる。また、付加情報を示す画像を付加したプレビュー表示についても、ファクシミリ送信時のプレビュー表示についての説明が援用できる。
【０１０１】
＜本発明に係る、画像データ出力（送信又は印刷又はファイリング）前のプレビュー表示の説明＞
コピー時、ファイリング時、ファクシミリ等でのデータ送信時について印刷前のプレビュー表示動作を説明したように、本発明に係るデジタル複合機１では、出力対象となった画像データについて、画像記憶部１５から読み出してジョブ単位でそのプレビュー画像を生成するプレビュー画像生成部１６ａを有する。ここで、最初に表示するために最初に生成されるプレビュー画像は、プレビュー表示倍率に基づき拡大／縮小された画像であり、縮小された画像であることが好ましい。プレビュー画像生成部１６ａで生成された最初のプレビュー画像は、メイン制御部１８の制御によりタッチパネル３２に送られ、パネル制御部１１によりＧＵＩ画像に組み込んで表示する制御がなされ、タッチパネル３２に表示される。このように、タッチパネル３２は、出力対象の画像データをプレビュー表示する画像表示部の一例である。
【０１０２】
出力対象の画像データは、読取部１３で例示したスキャナ装置、ＵＳＢ  Ｉ／Ｆ２５に接続されるＵＳＢメモリで例示した着脱可能な記憶装置、ＬＡＮ又は回線で例示した通信回線のいずれかから入力された画像データであってよい。若しくは、出力対象の画像データは、デジタル複合機１内に設けられた画像記憶部１５で例示した記憶装置から読み出された画像データであってもよい。
【０１０３】
また、上述したようにデジタル複合機１では、出力対象の画像データに付加情報を付加して出力することが可能となっており、メイン制御部１８の制御に基づきパネル制御部１１が、付加情報の画像をタッチパネル３２に表示させる制御を行う。そのため、プレビュー画像生成部１６ａが、このような付加情報の画像を生成し出力対象の画像データから生成したプレビュー画像に合成することで、付加情報付きのプレビュー画像を生成する。そして、パネル制御部１１は、生成された付加情報付きのプレビュー画像をＧＵＩ画像に組み込んで表示させる制御を、タッチパネル３２に対して行い、タッチパネル３２でこのＧＵＩ画像を表示する。
【０１０４】
このようにプレビュー画像生成部１６ａ及びパネル制御部１１は、プレビュー画像を表示させる制御やプレビュー表示時に付加情報を表示させる制御を、画像表示部に行う表示制御部の一例であると言える。但し、本発明に係るデジタル複合機１は、プレビュー画像の表示が可能であればよく、付加情報の画像のプレビュー表示や、上述した後処理を示す画像のプレビュー表示は、必須ではない。また、プレビュー表示において、付加情報を示す画像そのものを付加位置に合成して表示させることを前提に説明しているが、付加情報の代わりに、付加情報が存在していることを示す存在画像を表示させるように構成してもよい。
【０１０５】
そして、本発明に係るデジタル複合機１では、画像表示部が、プレビュー画像の生成中に、プレビュー画像の生成を中止するための生成中止キーを設定画面にユーザ選択可能に表示する。ここでいう設定画面とは、ユーザが印刷条件など出力処理に応じた処理条件を設定するための画面であって、画像データの取得又はプレビュー画像の生成が始まった時点で画像表示部に表示されている設定画面である。そして、ユーザ操作によりその生成中止キーが選択されたとき、つまりプレビュー画像生成を中止する指示がユーザからなされたときには、プレビュー画像生成部１６ａがプレビュー画像の生成を中止すると共に、画像表示部が、生成中止キーが選択されたときのプレビュー画像の生成状態に応じて、異なる画面を表示する（異なる遷移画面に移行させる）。
【０１０６】
本発明では、上述のような構成により、出力対象の画像データをプレビュー表示するに際し、プレビュー表示のキャンセルがユーザ操作により指示された場合に、プレビュー画像の生成状態に応じて異なる画面を表示することで、そのとき表示した画面に依っては初期画面に戻るなどせずにその後の処理を継続させることが可能になる。つまり、本発明によれば、プレビュー画像の表示指示により対象ファイルを読み込み中やプレビュー画像作成中であっても、プレビュー処理の中止が可能であると共に、プレビュー表示を中止した際であっても、プレビュー画像生成の進捗状況によって、プレビュー中止から移行する画面を異ならせることで、その後のユーザの処理に適した画面に移行することができ、またユーザの不安や無駄な画面切り替えを抑制することができる。
【０１０７】
＜プレビュー表示の具体例＞
以下、図４〜図１４を参照し、出力対象画像データのプレビュー画像の表示例について、またそのプレビュー表示の流れ（プレビュー表示のキャンセル指示を伴う流れ）について、その具体例を挙げながら説明する。
【０１０８】
ここでは、コピー時のプレビュー表示を例に挙げて説明するが、コピー処理以外のデータ送信時やファイリング時の処理でも基本的に同様で、原稿の読み取りが画像記憶部１５や外部からの出力対象の画像データの取得に代わり、ステープルやパンチなどの後処理がなくなる（付加情報の付加は可能）程度であり、その説明を省略する。また、ここでは、（I）原稿読み取りが全て終了後、プレビュー画像の生成を開始し、プレビュー画像の生成が全て終了後にプレビュー表示を行う、といった処理手順を例に挙げて説明する。その他の処理手順については簡単に後述する。
【０１０９】
図４は、図２及び図３で説明したデジタル複合機の標準画面の例を示す図である。図４では、標準画面として、デジタル複合機１においてタッチパネル３２に表示されるＧＵＩ画像の一例（ＧＵＩ画像４０とする）を示している。標準画面のＧＵＩ画像４０は、デジタル複合機１の電源がＯＮになったりリセットされたときにタッチパネル３２に表示される。このＧＵＩ画像４０では、デジタル複合機１の動作モードを選択するために、コピーモード選択キー４１、イメージ送信モード選択キー４２、ドキュメントファイリングモード選択キー４３が表示されており、ＧＵＩ画像４０ではコピーモードが選択されている状態を示す。
【０１１０】
コピーモードでは、コピーを行うための各種の条件設定が可能となっている。例えば、片面・両面コピーの設定を行うための両面コピーキー、パンチやステープルの後処理の設定を行うための仕上げキー、その他コピー時の詳細設定を行うための特別機能キー４４、スキャナによって読み取られた画像や外部機器から入力された画像やＨＤＤ等の記憶装置に記憶された画像の仕上がり状態を確認するためのプレビュー確認キー４５等を備えている。ここで、ステープル処理の設定項目としては、記録紙の排出方向の設定やステープルの綴じ位置の設定などが挙げられる。後処理の設定項目としては、その他、ソート処理の設定、用紙をソートして重ねて出力する際に移動させる幅を決めるオフセット設定、中とじの設定、紙折りを行う設定などが挙げられる。
【０１１１】
また、ユーザは、タッチパネル３２を使用してプレビュー確認キー４５を操作することによって、画像データのプレビューを表示させることが可能になっている。なお、キー４２やキー４３を選択することで、データ送信モード（イメージ送信モード）やファイリングモード（ドキュメントファイリングモード）へ移行するが、このとき、各動作モードに応じた各種設定が可能なように各動作モードでの設定用のＧＵＩ画像が表示される。そして、各動作モードのＧＵＩ画像においても、プレビュー確認キーが選択可能に表示されているか、プレビュー確認キーが選択可能に表示された下層のＧＵＩ画像へ移行するキーが選択可能に表示されている。
【０１１２】
図５は、図２及び図３で説明したデジタル複合機における原稿読み取り中に表示される画面の例を示す図である。図５で示すＧＵＩ画像４６は、図４のＧＵＩ画像４０にポップアップ画像４７を組み込んだ画像であり、ＧＵＩ画像４０の表示中に、プレビュー確認キー４５をＯＮに設定して反転させ（プレビュー確認キー４５ａを表示させ）、コピー開始ボタン（この例ではハードウェアキーを想定）を押下することで表示される。
【０１１３】
ポップアップ画像４７には、原稿読み取りを中止するためのキャンセルキー４７ａが選択可能に表示されると共に、同時に、「原稿が読み取り中であること」、「原稿読み取りを停止するにはキャンセルキーを押す必要があること」、「読み取った原稿枚数（この例では５８枚）」などを表示している。このキャンセルキー４７ａを選択することで、原稿読み取りを停止し、プレビュー画像の作成も中止することが可能となっている。
【０１１４】
図６は、図２及び図３で説明したデジタル複合機においてプレビュー画像を生成中に表示される画面の例を示す図である。図６に示すＧＵＩ画像４８は、原稿読み取り完了後にプレビュー画像を作成している状態を示しており、図５のＧＵＩ画像４６におけるポップアップ画像４７の消去後に、図４のＧＵＩ画像４０に重ねてポップアップ画像４９を表示したものである。
【０１１５】
このポップアップ画像４９には、生成中止キー（キャンセルキー）４９ａが選択可能に表示されており、同時に、「プレビューを作成中であること」、「プレビュー作成を停止するにはキャンセルキーを押す必要があること」などを表示している。このキャンセルキー４９ａを選択することで、プレビュー画像の作成を中止することが可能となっている。また、読み取り原稿が多い場合など、プレビュー画像の作成に長時間を要する場合があるため、ポップアップ画像４９に、読み取り枚数とプレビュー画像が作成された枚数（この例では１２０枚中、３０枚までプレビュー画像の作成が済んでいること）を表示している。このように、タッチパネル３２では、プレビュー画像生成部１６ａでプレビュー画像の生成中には、生成されたプレビュー画像の枚数を表示することが好ましい。これにより、ユーザにプレビュー画像の作成状態を報知することができる。
【０１１６】
図７は、図２及び図３で説明したデジタル複合機におけるプレビュー表示画面の例を示す図、図８は、図７のプレビュー表示画面においてプレビュー画像の拡大表示を行ったときのプレビュー表示画面の例を示す図である。
【０１１７】
図７に示すＧＵＩ画像５０は、図６のＧＵＩ画像４８を表示後、プレビュー作成が終了した段階で（プレビュー確認キー４５ａが設定されているため）自動的に表示される。なお、図４のＧＵＩ画像４０が表示されている状態で、プレビュー確認キー４５を選択することで（他の画面に移行することなく）表示することもできる。ＧＵＩ画像５０は、プレビュー画像生成部１６ａにより印刷対象の画像データから生成されたプレビュー画像５１をＧＵＩ画像に組み込んで表示したものである。
【０１１８】
また、プレビュー画像５１は縮小した画像データをページ毎に示すものである。このように、プレビュー画像は、出力対象の画像データを縮小して生成した画像であることが好ましい。また、出力対象の画像データを出力するページ単位で順次表示する画像であることが好ましい。つまり、プレビュー表示はページ単位で順次表示可能とすることが好ましい。ページ単位での表示を採用しているため、ＧＵＩ画像５０には、プレビュー表示している画像データのページを変更するために、現ページを示す情報５９と共に、ページ切換キー５８が表示されている。ページ切換キー（移動キー）５８には、最初のページを表示するためのトップページ移動キー、現ページの前のページを表示するための前ページ移動キー、現ページの次のページを表示するための次ページ移動キー、及び最後のページを表示するためのラストページ移動キーが含まれる。プレビュー画像５１は、このようにページ毎に表示され、ユーザはページ切換キー５８を適宜操作することによって、任意のページのプレビュー画像を表示させることができる。
【０１１９】
なお、プレビュー画像を表示させるタッチパネル３２等の表示装置は小型となることが一般的であるため、図７のＧＵＩ画像５０のようにプレビュー画像５１を表示させる際には、縮小画像を表示させ、ページの全貌が把握できる表示とすることが望ましい。
【０１２０】
ＧＵＩ画像５０では、さらに、設定確認キー５４、拡大／縮小キー５５、表示の回転キー５６などが選択可能に表示されていて、ユーザはこれらを適宜操作することによって、プレビュー画像５１の設定を確認するためのＧＵＩ画像（例えば、後述の図１０のＧＵＩ画像６４）を表示したり、プレビュー画像５１を拡大／縮小或いは回転させて確認することができる。例えば、プレビュー画像を拡大した際には図８のＧＵＩ画像６０で示すように、拡大されたプレビュー画像５１ａが表示されると共に、スクロールバーが表示され、全体の確認が可能となっている。
【０１２１】
また、ＧＵＩ画像５０及びＧＵＩ画像６０では、仕上がり状態の表示を行わせるための仕上がり表示キー５３も選択可能に表示され、再設定キー５２が選択可能に表示されている。プレビュー画像５１やプレビュー画像５１ａを確認することで印刷条件を再設定する必要が生じた場合など、ユーザは再設定キー５２を操作することにより、印刷条件を再設定するためのＧＵＩ画像（例えば、後述の図９のＧＵＩ画像６１）を表示させることができる。そして再設定画面を使用して印刷条件を再設定し、再設定した印刷条件に基づくプレビュー画像５１やプレビュー画像５１ａを表示させることができる。このように、タッチパネル３２では、プレビュー表示画面に、出力処理の処理条件を変更するための再設定画面（つまり画像データの編集を行うための再設定画面）に移行するための再設定キー５２を選択可能に表示し、その再設定キーがユーザにより選択されたときに再設定画面を表示する。また、ＧＵＩ画像５０及びＧＵＩ画像６０には、コピー開始キー５７が選択可能に表示されていて、ユーザがこのコピー開始キー５７を操作することによって、プレビュー表示された画像データを画像形成（印刷）する処理が開始される。
【０１２２】
図９は、図７又は図８のＧＵＩ画像において再設定キーを選択したときに表示される再設定画面の例を示す図である。図９で示す再設定画面のＧＵＩ画像６１は、図７のＧＵＩ画像５０又は図８のＧＵＩ画像６０において再設定キー５２を選択することで表示される。ＧＵＩ画像６１には、プレビュー画像生成部１６ａで新たなプレビュー画像の生成を開始するための再プレビューキー６３が選択可能に表示されており、また再設定をキャンセルするためのキャンセルキー６２も選択可能に表示されている。同時に、「再設定を変更して再プレビューキーを押す」ことを勧める文字も表示されている。
【０１２３】
そして、このＧＵＩ画像６１からは、様々なコピー複写条件の再設定が可能となっており、再設定後、再プレビューキー６３を選択することで、図９への移行前の画面（例えば図７、図８、図１１）に戻り、再設定されたコピー条件でプレビュー表示が行われる。このように、再プレビューキー６３がユーザにより選択され、プレビュー画像生成部１６ａで新たなプレビュー画像の生成が開始された際には、キャンセルキー４９ａを再度表示する（再設定画面に重ねるか、又は他の画面を表示させてそこに重ねるかなどで再表示する）ことが好ましい。このような再表示後、キャンセルキー４９ａがユーザにより選択されたときには、キャンセルキー４９ａを消去して再設定画面のＧＵＩ画像６１を再表示するとよい。
【０１２４】
ここで、上述した図４〜図９の各画面間の遷移例を挙げる。図５及び図６で説明したように、図４の初期画面においてプレビュー確認キー４５を設定した後、コピー開始ボタンが押下されると、図５のＧＵＩ画像４６の表示中（つまり原稿の読み取り中）に原稿読み取りのキャンセルが可能になり、また図６のＧＵＩ画像４８の表示中（つまりプレビュー画像の作成中）にプレビュー表示のキャンセルが可能となる。原稿読み取り中にキャンセルが実行された際には、コピー開始直後、ユーザがコピー設定に大きな間違いに気付いた場合であり、図４で示す初期画面（但し、プレビュー確認キー４５は非選択）に戻すことで、ユーザは最初からコピー条件の設定が可能となる。一方で、プレビュー画像作成中にキャンセルが実行される際には、プレビュー画像の作成に時間がかかることで、キャンセルされる場合や、後処理などコピー条件の変更を実行する場合である。従って、このような場合には、図４で示す初期画面ではなく、図９のＧＵＩ画像６１で示す再設定画面に移行させる。これにより、原稿読み取りやプレビュー画像生成がされた状態で印刷条件を再設定することができ、最初からコピー条件の設定や全ての原稿の再読み取りの必要なく、処理を継続できる。
【０１２５】
さらに、プレビュー画像作成中であっても、キャンセルされるタイミングにより、プレビュー画像が全く作成できていない場合と、数枚のプレビュー画像が作成されている場合が有る。キャンセル時にプレビュー画像が全くできていない場合には、ユーザが設定の誤りに気づき設定変更を望んでいる場合が考えられるため、図９のＧＵＩ画像６１で示す再設定画面に移行することで、ユーザの利便性を向上させることができる。一方、キャンセル時に数枚のプレビュー画像が作成されている場合には、ユーザが全枚数のプレビュー画像の確認を不要とし、送信を望んでいる場合画考えられるため、作成された数枚のプレビュー画像を表示する図６のポップアップ画像４９が組み込まれたＧＵＩ画像４８に移行することで、作成された数枚のプレビュー画像の確認が可能となる。この状態で、読み取った画像データの印刷を開始することもできるし、作成された数枚のプレビュー画像に宛先等が含まれる場合には、最初のページだけを確認するだけで十分足りる場合もある。
【０１２６】
図１０は、図７又は図８のＧＵＩ画像において設定確認キーを選択したときに表示される設定画面の例を示す図である。図１０の設定画面のＧＵＩ画像６４は、図７のＧＵＩ画像５０又は図８のＧＵＩ画像６０において、設定確認キー５４を選択することで表示される。ＧＵＩ画像６４は、採用されている印刷条件が確認可能な領域６５が表示されており、この印刷条件を確認して再設定キーにより再設定することも可能になっている。
【０１２７】
また、図１１は、図４のプレビュー確認キー又は図９の再プレビューキーを選択したときに表示されるプレビュー画面の例を示す図で、図２及び図３で説明したデジタル複合機におけるプレビュー表示画面の例を示す図でもある。
【０１２８】
図１１のＧＵＩ画像６６は、図４のプレビュー確認キー４５の選択、図９の再プレビューキー６３の選択により、パンチやステープル等の仕上げ処理の確認を行うことが可能なように表示される。つまり、ＧＵＩ画像６６では、プレビュー画像５１ｂとして、画像全体の仕上げ状態が判別可能な縮小画像を表示している。このように、プレビュー画像は、処理条件に基づき出力処理される最終の出力形態で表示されることが好ましい。プレビュー画像５１ｂには、仕上げ状態として、ステープル画像及びパンチ穴画像がその処理位置付近に表示されている。仕上げ状態は、ステープル処理、パンチ処理、集約処理（Ｎ  ｉｎ  １）、中とじ処理などが挙げられる。さらに、確認すべき仕上げ状態としては、定型スタンプ、日付（又は日時）、ページ番号、送信原稿に付加されるヘッダの詳細などの付加情報の付加状態も挙げられる。プレビュー画像には、仕上げ状態として、出力時の付加位置に極秘スタンプ画像やタイムスタンプ画像等の付加情報の画像を重ねて表示すればよい。
【０１２９】
ＧＵＩ画像６６は、図７のＧＵＩ画像５０や図８のＧＵＩ画像６０において仕上がり表示キー５３を選択したときにも表示するような遷移を採用することもできる。例えば、図７のプレビュー画像５１は画像データの全体を表示しているが、ユーザが、パンチ及びステープルの仕上げ処理を施したいと考えたときには、再設定キー５２を選択し、図９のＧＵＩ画像６１にてそのように再設定し、再プレビューする。これににより、図１１のＧＵＩ画像６６でのプレビュー画像５１ｂのような、仕上がり状態を表示した画像全体の配置形態を確認することができる。
【０１３０】
なお、図１１で図示したような付加情報の位置と、実際に印刷を実行したときの印字状態とは通常同じになるが、中とじ印刷の場合などには異ならせてもよい。例えば、プレビュー画像に、日時、定型のスタンプ、ページ番号、任意文字に対応する付加情報の画像が表示されている場合、見開きで左側になる印字ページではそのままの位置に付加情報が付加されて印刷されるが、右側になる印字ページでは日時の付加情報のみが同じ位置に付加され、それ以外は左側と右側との境界線に対象な位置に付加されて印刷されてもよい。勿論、中とじ印刷の場合でも、見開きで左側になる印字ページでも右側になる印字ページでもそのままの位置に付加情報が付加されてもよい。
【０１３１】
図１２は、図４のプレビュー確認キー又は図９の再プレビューキーを選択したときに表示されるプレビュー画面の他の例を示す図で、図２及び図３で説明したデジタル複合機におけるプレビュー表示画面の他の例を示す図でもある。図１２で示すＧＵＩ画像７０では、プレビュー画像５１ｃとして、集約処理も含めた画像全体の仕上げ状態が判別可能な縮小画像を表示している。
【０１３２】
また、図１２では、パンチやステープルといった後処理による仕上げ状態を表示していないが、付加情報の付加処理と後処理とが双方施されるのであれば付加情報の付加状態と共に後処理の状態も表示しておけばよい。また、図１２のＧＵＩ画像７０は、図７のＧＵＩ画像５０や図８のＧＵＩ画像６０において仕上がり表示キー５３を選択したときにも表示される。
【０１３３】
図１３は、図６のＧＵＩ画像においてキャンセルキーを選択したときに表示される設定画面の例を示す図である。図１３で示すＧＵＩ画像７１は、図６のＧＵＩ画像４８においてキャンセルキー４９ａが選択されたときに表示される画像であり、図４のＧＵＩ画像４０にポップアップ画像７２を組み込んだものである。
【０１３４】
このポップアップ画像７２には、ＯＫキー７２ａとキャンセルキー７２ｂとが選択可能に表示されており、同時に、「プレビュー作成が中止されたこと」、「プレビュー画像を表示するためにはキャンセルキーを押す必要があること」などを表示している。このキャンセルキー７２ｂを選択することで、プレビュー画像の表示を再開し、プレビュー画像の作成も再開することが可能となっている。プレビュー画像の生成を再開しなくても、例えば、プレビュー表示がキャンセルされるまでに数ページのプレビュー画像が生成されている場合には、プレビュー画像の閲覧が可能であるので、ユーザはその数ページ分のプレビュー画像を直ぐに確認することができる。
【０１３５】
また、読み取り原稿が多い場合など、プレビュー画像の作成に長時間を要する場合があるため、キャンセルキー４９ａの選択により見た目上はプレビュー画像生成が中止しても内部処理としては生成を継続しておくことが好ましい。つまり、キャンセルキー４９ａが選択されたときに、タッチパネル３２ではプレビュー画像の生成が中止されたことを表示しておき、他方でプレビュー画像生成部１６ａがプレビュー画像の生成を中止せずに生成を継続する。これにより、ユーザが再度のプレビュー表示を望んでキャンセルキー７２ｂを選択したときに直ぐに多くのプレビュー画像を表示させて閲覧させることができる。また、ポップアップ画像７２に、読み取り枚数とプレビュー画像が作成された枚数（この例では９０枚中、１４枚までプレビュー画像の作成が済んでいること）を表示している。このように、タッチパネル３２は、キャンセルキー４９ａが選択されたときに、プレビュー画像生成部１６ａで生成済みのプレビュー画像の枚数（プレビュー画像の作成が完了した枚数）を表示することが好ましい。これにより、ユーザにプレビュー画像の作成状態を報知することができる。
【０１３６】
次に、デジタル複合機１において、コピー処理を例に挙げて、プレビュー表示及び印刷処理を実行するときの流れ（プレビュー表示のキャンセル指示を伴う流れ）について、図１４を参照しながら説明する。図１４は、図２及び図３のデジタル複合機において、１つのジョブに対してプレビュー表示及び印刷処理を実行する手順の一例を説明するためのフロー図である。上述した通りコピー処理以外の処理でも基本的に同様であるため、他の処理の説明は省略する。
【０１３７】
まず、メイン制御部１８は、印刷設定を受け付けて、読取部１３に対して原稿の画像読み取り指示を行い、全枚数の原稿の画像を光学的に読み取る（ステップＳ１）。続いて、メイン制御部１８は、プレビュー画像生成部１６ａを制御して、プレビュー画像の生成を実行させる（ステップＳ２）。なお、メイン制御部１８はプレビュー確認キーの設定が行われているか、つまりプレビュー確認キーがＯＮになっているかを判定し、行われている場合のみステップＳ２及びそれ以降の処理を行うとよい。
【０１３８】
次に、プレビュー画像生成部１６ａで現在の印刷ジョブについての全てのプレビュー画像を生成されたかを、メイン制御部１８が判定し（ステップＳ３）、全て生成した時点でプレビュー画像生成部１６ａ及びパネル制御部１１を制御して、プレビュー画像の生成及びタッチパネル３２へのプレビュー表示を行わせる（ステップＳ４）。
【０１３９】
続いて、メイン制御部１８が中止命令を受け付けたかをパネル制御部１１を介して判定し（ステップＳ５）、受け付けてなければステップＳ３へ戻り、受け付けていれば、その印刷ジョブについて１枚でも生成したプレビュー画像が存在するか否かを確認する（ステップＳ６）。
【０１４０】
ステップＳ６で存在したと判定された場合には、メイン制御部１８がプレビュー画像生成部１６ａ及びパネル制御部１１を制御して、プレビュー画像の生成及びタッチパネル３２へのプレビュー表示を行わせる（ステップＳ７）。そして、メイン制御部１８は、パネル制御部１１を介して編集操作が選択されたか否かを判定し（ステップＳ８）、選択されていなければステップＳ７へ戻って引き続きプレビュー表示を継続する。ステップＳ８で選択されていると判定された場合には、メイン制御部１８がプレビュー画像生成部１６ａ及びパネル制御部１１を制御して、図９のＧＵＩ画像６１のような再設定画面をタッチパネル３２に表示させる（ステップＳ９）。
【０１４１】
一方、ステップＳ６で存在しないと判定された場合には、メイン制御部１８が、原稿読み取りの中止を読取部１３に対して指示して読み取りを中止させ（ステップＳ１０）、プレビュー画像生成部１６ａ及びパネル制御部１１を制御して、図４のＧＵＩ画像４０のような初期画面（初期設定画面）をタッチパネル３２に表示させる（ステップＳ１１）。また、ステップＳ６での判定結果としてステップＳ１１を実行したように、キャンセルキーが選択されたときに、プレビュー画像生成部１６ａでプレビュー画像が全く生成されていない場合（つまり０枚生成済みの場合）には、タッチパネル３２では、出力処理の処理条件を設定するための最初の画面である初期設定画面を表示することが好ましい。
【０１４２】
ここで、ステップＳ１０について補足する。ここでの前提では、実際に、ステップＳ１で読み取り完了後にステップＳ２へ移行しているため、ステップＳ１０は実際には実行されないが、上記（I）以外の後述する処理手順では実行されるため、ステップＳ１０を記載している。また、ステップＳ５の処理後のステップＳ１０の処理として説明したように、キャンセルキー４９ａがユーザにより選択されたときに、出力対象の画像データの取得を実行していた場合には、その取得（この例では原稿読み取り）を中止することが好ましい。さらに、ステップＳ１０の処理後のステップＳ１１の処理として説明したように、タッチパネル３２では、画像データ取得が中止されたときに、出力処理の処理条件を設定するための最初の画面である初期設定画面を表示することが好ましい。
【０１４３】
また、ステップＳ３及びステップＳ６での判定結果の画面としてステップＳ４及びステップＳ７の処理を実行することを説明したように、少なくとも１枚のプレビュー画像が生成済みの場合にはプレビュー画像を含むプレビュー表示画面に移行することが好ましい。また、ステップＳ６での判定結果としてステップＳ７の処理を実行することを説明したように、少なくとも１つのプレビュー画像が生成されていた場合には、キャンセルキーが選択されるまでに生成されたプレビュー画像を含むプレビュー表示画面をタッチパネル３２に表示することが好ましい。
【０１４４】
図４〜図１４を参照して上記（I）の処理手順を例に挙げて説明したが、その他に、（II）原稿読み取りが全て終了後、プレビュー画像の生成を開始し、プレビュー画像が１枚生成された時点でプレビュー表示を行う、（III）原稿読み取り開始した時点でプレビュー画像の生成を開始し、プレビュー画像の生成終了後にプレビュー表示を行う、（IV）原稿読み取り開始した時点でプレビュー画像の生成を開始し、プレビュー画像が１枚生成された時点でプレビュー表示を行う、などの処理手順が採用できる。
【０１４５】
上記（II）の処理手順では、図５のＧＵＩ画像４６を表示させて原稿読み取りを行い、それが全て終了後、図６のＧＵＩ画像４８を表示させてプレビュー画像の生成を開始し、１枚生成された時点で、例えば図７のＧＵＩ画像５０のようにプレビュー画像５１を表示させながら図６のポップアップ画像４９の内容（プレビュー作成のキャンセルが可能なキーを含む）を、同時に表示しておくとよい。
【０１４６】
上記（III）の処理手順では、原稿読み取り開始した時点で、図５のＧＵＩ画像４６のポップアップ画像４７において図６のキャンセルキー４９ａ（及び４７ａ）のようなキーを合わせて表示させながら、プレビュー画像の生成を開始し、プレビュー画像の生成終了後に、図７のＧＵＩ画像５０のようにプレビュー画像５１の表示を行う。上記（IV）の処理手順では、原稿読み取り開始した時点で、図５のＧＵＩ画像４６のポップアップ画像４７において図６のキャンセルキー４９ａのようなキーを合わせて表示させながら、プレビュー画像の生成を開始し、プレビュー画像が１枚生成された時点で図７のＧＵＩ画像５０のようにプレビュー画像５１の表示を行い、同時にキャンセルキー４９ａ（及び４７ａ）の表示を行う。
【０１４７】
上記（III）及び（IV）の処理手順は、原稿画像の読み取り処理とプレビュー画像の生成処理とが並行に実行されている。このような並行処理により読み取りからプレビュー画像の生成までの時間を短縮することができる。この場合には、読み取り終了枚数とプレビュー画像生成枚数とを並べて表示してもよい。これにより、ユーザは両方の処理がどの程度進行しているのか容易に認識することができる。
【０１４８】
以上、デジタル複合機１を挙げて、本発明に係る画像処理装置について説明したが、その処理の流れを説明したように、本発明は、画像処理装置（上述のデジタル複合機１で例示）におけるプレビュー表示方法としての形態も採り得る。このデジタル複合機１は、上述したように、プレビュー画像生成部及び画像表示部を備えるものとする。
【０１４９】
そして、本発明に係るこのプレビュー表示方法は、プレビュー画像生成部が、出力対象の画像データのプレビュー画像を出力ジョブ単位で生成するステップと、画像表示部が、プレビュー画像生成部で生成されたプレビュー画像を表示するステップと、画像表示部が、プレビュー画像の生成中にプレビュー画像の生成を中止するための生成中止キーをユーザ選択可能に表示するステップと、プレビュー画像生成部が、ユーザ操作により生成中止キーが選択されたときにはプレビュー画像の生成を中止するステップと、画像表示部が、ユーザ操作により生成中止キーが選択されたときには、選択されたときのプレビュー画像の生成状態に応じて、異なる画面を表示するステップとを含む。なお、このプレビュー表示方法の応用例については、デジタル複合機１でのプレビュー表示処理として説明した通りであり、その説明は省略する。
【図面の簡単な説明】
【０１５０】
【図１】本発明の一実施形態に係る画像処理装置の一例としてのデジタル複合機を用いて構築される画像処理システムの構成例を示す模式図である。
【図２】図１のデジタル複合機の構成例を示す概略ブロック図である。
【図３】図２のデジタル複合機におけるタッチパネル及びキー操作部の一例を示す外観図である。
【図４】図２及び図３で説明したデジタル複合機の標準画面の例を示す図である。
【図５】図２及び図３で説明したデジタル複合機における原稿読み取り中に表示される画面の例を示す図である。
【図６】図２及び図３で説明したデジタル複合機においてプレビュー画像を生成中に表示される画面の例を示す図である。
【図７】図２及び図３で説明したデジタル複合機におけるプレビュー表示画面の例を示す図である。
【図８】図７のプレビュー表示画面においてプレビュー画像の拡大表示を行ったときのプレビュー表示画面の例を示す図である。
【図９】図７又は図８のＧＵＩ画像において再設定キーを選択したときに表示される再設定画面の例を示す図である。
【図１０】図７又は図８のＧＵＩ画像において設定確認キーを選択したときに表示される設定画面の例を示す図である。
【図１１】図４のプレビュー確認キー又は図９の再プレビューキーを選択したときに表示されるプレビュー画面の例を示す図である。
【図１２】図４のプレビュー確認キー又は図９の再プレビューキーを選択したときに表示されるプレビュー画面の他の例を示す図である。
【図１３】図６のＧＵＩ画像においてキャンセルキーを選択したときに表示される設定画面の例を示す図である。
【図１４】図２及び図３のデジタル複合機において、１つのジョブに対してプレビュー表示及び印刷処理を実行する手順の一例を説明するためのフロー図である。
【符号の説明】
【０１５１】
１…デジタル複合機、２，３…外部コンピュータ、４…インターネットＦＡＸ装置、１０，３２…タッチパネル、１１…パネル制御部、１２…記録部、１３…読取部、１４…フォーマット変換部、１５…画像記憶部、１６ａ…プレビュー画像生成部、１７…符号化／復号部、１８…メイン制御部、１９…制御用メモリ、２０，３１…キー操作部、２１…ＬＡＮ制御部、２２…制御用バッファ、２３…ＮＣＵ、２４…モデム、２５…ＵＳＢ  Ｉ／Ｆ、３０…操作パネル。
【図１】
2010035021.tif 000003
【図２】
2010035021.tif 000004
【図３】
2010035021.tif 000005
【図４】
2010035021.tif 000006
【図５】
2010035021.tif 000007
【図６】
2010035021.tif 000008
【図７】
2010035021.tif 000009
【図８】
2010035021.tif 000010
【図９】
2010035021.tif 000011
【図１０】
2010035021.tif 000012
【図１１】
2010035021.tif 000013
【図１２】
2010035021.tif 000014
【図１３】
2010035021.tif 000015
【図１４】
2010035021.tif 000016